(57)【特許請求の範囲】
【請求項１】
媒体を搬送する搬送路と、
上記搬送路と接続され、当該搬送路を介して搬送される媒体を収納する媒体収納カセットと、
上記媒体収納カセットを着脱可能なスロットと、
上記スロットを１個以上有する媒体貯蔵部とを備え、
上記スロット毎に複数の上記媒体収納カセットを所定方向に並べて装填可能であり、
上記スロットに装填される複数の上記媒体収納カセットのうち、一番奥の媒体収納カセット以外の媒体収納カセット内には、それぞれ上記所定方向に媒体を集積する媒体収納庫と、奥側の媒体収納カセットに媒体を搬送する為の上記所定方向に延在するカセット内搬送路とが設けられ、一番奥の媒体収納カセット内には、上記所定方向に媒体を集積する媒体収納庫が設けられ、
一番奥の媒体収納カセットの内部は、上記カセット内搬送路が無い分、媒体収納庫を設ける為の空間が他の媒体収納カセットよりも広く、他の媒体収納カセットの媒体収納庫よりも大きな媒体収納庫が設けられている
媒体処理装置。
【請求項２】
上記一番奥の媒体収納カセットの媒体収納庫は、他の媒体収納カセットの媒体収納庫に集積される媒体より大きなサイズの媒体を集積できるように、他の媒体収納カセットの媒体収納庫よりも大きい
請求項１に記載の媒体処理装置。
【請求項３】
上記一番奥の媒体収納カセット以外の媒体収納カセットの媒体収納庫は、媒体を載せるステージが斜めに傾けられていて、媒体を斜めに傾けた状態で上記所定方向に集積する
請求項１に記載の媒体処理装置。
【発明の詳細な説明】
【技術分野】
【０００１】
本発明は、媒体処理装置に関するもので、例えば、媒体として紙幣を扱う現金自動預払機に適用して好適なものである。
【背景技術】
【０００２】
図１８に従来の現金自動預払機の構成を示す。従来の現金自動預払機内に設けられる紙幣入出金機２００は、上部筐体２０１と下部筐体２０２とで構成されている。上部筐体２０１には、紙幣の投入口及び受取口となる入出金口部２０３と、紙幣の金種及び真偽などを鑑別する鑑別部２０４と、紙幣を一時的に収納する一時保留部２０５が設けられている。
【０００３】
また、下部筐体２０２には、紙幣を金種ごとに保管する複数の紙幣収納カセット２０６、及びリジェクト紙幣などを保管するリジェクト庫２０７を有する紙幣貯蔵部２０８が設けられている。
【０００４】
さらに、これら上部筐体２０１及び下部筐体２０２には、入出金口部２０３、鑑別部２０４、一時保留部２０５、複数の紙幣収納カセット２０６、及びリジェクト庫２０７を繋ぐ搬送路２０９が設けられている。
【０００５】
このような従来の紙幣入出金機２００は、特定の国（ここでは日本とする）においての使用を前提としていて、日本の紙幣の金種に合わせて、例えば５個の紙幣収納カセット２０６が下部筐体２０２内に前後方向に並べて配置されている。また、これら複数の紙幣収納カセット２０６は、それぞれ個別に下部筐体２０２から取り外すことでメンテナンスできるようになっている。
【０００６】
一方で、この紙幣入出金機２００を、他の国（すなわち日本以外の国）に設置して使用する場合、紙幣の金種が日本より多い国においては、紙幣収納カセット２０６の数が５個では不足してしまうことがある。このとき、従来の紙幣入出金機２００をそのまま紙幣の金種が多い他の国では使用することができない。
【０００７】
そこで、図１９に示すように、紙幣収納カセット２０６内に設けられていた１個の紙幣収納庫を、紙幣収納カセット２０６内の上部と下部にそれぞれ１個ずつ、計２個設けるようにしたものがある。このような紙幣収納カセット２０６内部の紙幣収納庫に紙幣を振り分けることで、１個の紙幣収納カセット２０６で２つの金種に対応できるようにしたものが提案されている（例えば特許文献１参照）。
【０００８】
これにより、１つの紙幣収納カセット２０６における金種ごとの集積枚数は減少するものの、下部筐体２０２のサイズなどはそのままに、扱うことのできる金種を例えば５種類から２倍の１０種類にまで増加させることができる。この結果、様々な国の多様な紙幣に対応することが可能な紙幣入出金機を低コストで実現できる。
【先行技術文献】
【特許文献】
【０００９】
【特許文献１】特開２００８−１５２４３０号公報
【発明の概要】
【発明が解決しようとする課題】
【００１０】
しかしながら、１個の紙幣収納カセット２０６内に２個の紙幣収納庫を設けるようにした場合、次のような問題が生じる。例えば、２個のうちの一方の紙幣収納庫が満杯になるなどして、一方の紙幣収納庫に対してのみメンテナンスが必要になった場合でも、紙幣収納カセット２０６ごと紙幣入出金機から取り外してメンテナンスしなければならない。
【００１１】
このように、１個の紙幣収納カセット２０６内に２個の紙幣収納庫を設けるようにした場合、多様な紙幣に対応できる反面、メンテナンス性が低下するという問題があった。
【００１２】
本発明は以上の点を考慮したもので、メンテナンス性を損なうことなく多様な媒体に対応可能な媒体処理装置を提案しようとするものである。
【課題を解決するための手段】
【００１３】
かかる課題を解決するため本発明の媒体処理装置においては、媒体を搬送する搬送路と、搬送路と接続され、当該搬送路を介して搬送される媒体を収納する媒体収納カセットと、媒体収納カセットを着脱可能なスロットと、スロットを１個以上有する媒体貯蔵部とを備え、スロット毎に複数の媒体収納カセットを所定方向に並べて装填可能であり、スロットに装填される複数の媒体収納カセットのうち、一番奥の媒体収納カセット以外の媒体収納カセット内には、それぞれ所定方向に媒体を集積する媒体収納庫と、奥側の媒体収納カセットに媒体を搬送する為の所定方向に延在するカセット内搬送路とが設けられ、一番奥の媒体収納カセット内には、所定方向に媒体を集積する媒体収納庫が設けられ、一番奥の媒体収納カセットの内部は、カセット内搬送路が無い分、媒体収納庫を設ける為の空間が他の媒体収納カセットよりも広く、他の媒体収納カセットの媒体収納庫よりも大きな媒体収納庫を設けるようにした。
【００１４】
こうすることで、例えば、媒体貯蔵部のスロットの大きさを従来の媒体収納カセット１個分の大きさとすれば、従来の媒体収納カセット１個分のスペースに、複数の媒体収納カセットを装填することができる。また、複数の媒体収納カセットをスロットから着脱可能としたことにより、複数の媒体収納カセットのうち、メンテナンスが必要となった媒体収納カセットを取り外してメンテナンスすることができる。
【発明の効果】
【００１５】
本発明によれば、従来の媒体収納カセット１個分のスペースに、複数の媒体収納カセットを装填でき、また、複数の媒体収納カセットをそれぞれスロットから着脱可能とした。これにより、複数の媒体収納カセットのうち、メンテナンスが必要となった媒体収納カセットを取り外してメンテナンスすることができる。かくして、メンテナンス性を損なうことなく多様な媒体に対応可能な媒体処理装置を実現できる。
【図面の簡単な説明】
【００１６】
【図１】ＡＴＭの外観斜視図である。
【図２】紙幣入出金機の内部構成図である。
【図３】紙幣貯蔵部のスロットの外観斜視図である。
【図４】スロットに上側用小収納カセットのみを装填した状態の内部構成図である。
【図５】従来の紙幣貯蔵部のスロットの外観斜視図である。
【図６】大収納カセットの構成図である。
【図７】下側用小収納カセットの構成図である。
【図８】上側用小収納カセットの構成図である。
【図９】下側用小収納カセットの上に上側用小収納カセットを重ねた状態の内部構成図である。
【図１０】紙幣収納カセットの装填の説明にともなう外観斜視図である。
【図１１】スロットに大収納カセットのみを装填した状態の内部構成図である。
【図１２】他の実施の形態における上側用小収納カセットの構成図（１）である。
【図１３】他の実施の形態における紙幣収納カセットを組み合わせた状態の内部構成図（１）である。
【図１４】他の実施の形態における紙幣収納カセットを組み合わせた状態の内部構成図（２）である。
【図１５】他の実施の形態における紙幣貯蔵部のスロットの外観斜視図である。
【図１６】他の実施の形態における上側用小収納カセットの構成図（２）である。
【図１７】他の実施の形態における小収納カセットを３個重ねた状態の内部構成図である。
【図１８】従来の紙幣入出金機の内部構成図である。
【図１９】従来の紙幣収納庫を２個有する紙幣収納カセットの構成を示す略線図である。
【発明を実施するための形態】
【００１７】
以下、発明を実施するための形態について、図面を用いて詳細に説明する。
【００１８】
［１．現金自動預払機の構成］
図１に、現金自動預払機（以下、これをＡＴＭとも呼ぶ）１の全体構成の概略を示す。
【００１９】
このＡＴＭ１は、キャッシュカードや紙幣、取引明細票等を取引媒体とし、利用者の操作によって、現金の預け払いや支払い、振り込み等の処理を行うようになっている。
【００２０】
このＡＴＭ１内部の上方には、利用者のキャッシュカード等を処理するカード処理機（図示せず）と、取引明細票（以下、これをレシートとも呼ぶ）を印字して利用者へ発行するレシート印刷機（図示せず）が設けられている。
【００２１】
カード処理機は、ＡＴＭ１の前面（利用者に対向する面）に設けられたカード挿入返却口２に挿入された利用者のキャッシュカードを処理する。レシート印刷機は、ＡＴＭ１の前面に設けられたレシート発行口３より取引明細票を利用者へ放出する。
【００２２】
またＡＴＭ１内部の下方には、紙幣を処理する紙幣入出金機４が設けられている。この紙幣入出金機４前面の上方には、ＡＴＭ１の外部に露出するように入出金口シャッタ５が設けられる。この入出金口シャッタ５の開閉に応じて紙幣の入出金が行われる。
【００２３】
さらにＡＴＭ１の前面には、利用者の取引内容を表示すると共に、取引のための様々な情報や項目を入力するための操作表示部６と、暗証番号等を入力するためのテンキー７とが設けられている。
【００２４】
さらにＡＴＭ１の内部には、ＡＴＭ１全体を統括的に制御して、上述した各部の制御を行う主制御部８や、ＡＴＭ１の運用情報などを記憶するためのメモリ部９が設けられている。
【００２５】
さらに紙幣入出金機４の内部に、上述した主制御部８及びメモリ部９とは別に、紙幣入出金機４の制御を行う制御部１０と、この制御部１０の記憶領域となるメモリ部１１とが設けられている。
【００２６】
［２．紙幣入出金機の構成］
次に、図２を用いて、紙幣入出金機４の内部構成について説明する。
【００２７】
この紙幣入出金機４は、入金された紙幣を出金にも利用する所謂リサイクル型の紙幣入出金機である。その内部は、上側の上部筐体１２と下側の下部筐体１３と、制御部１０（図２では省略）とで構成される。
【００２８】
上部筐体１２には、その前面の上方に紙幣の投入口及び受取口となる入出金口部２０が設けられている。また、この入出金口部２０には上述した入出金口シャッタ５が設けられている。
【００２９】
また、この上部筐体１２には、入出金口部２０の下方に、紙幣の真偽、正損、金種、搬送状態などを判別するための鑑別部２１が配置されている。また、入出金口部２０の後方には、紙幣を一時的に保管するための一時保留部２２が配置されている。
【００３０】
さらに、この上部筐体１２には、一時保留部２２の下方に隣接する位置にリジェクト庫２３が配置されている。
【００３１】
さらにこの上部筐体１２には、これら入出金口部２０、鑑別部２１、一時保留部２２、リジェクト庫２３とを繋ぐ搬送路（この搬送路をここでは上部搬送路と呼ぶ）２４が設けられている。
【００３２】
具体的にこの上部搬送路２４は、入出金口部２０内における底面前方と接続され、そこから下方に延存し、途中でさらに下方と後方とに分岐する。この分岐箇所Ｓ１から下方に分岐した搬送路は、紙幣入出金機４内下方の下部筐体１３と接続される。また、分岐箇所Ｓ１から後方に分岐した搬送路は鑑別部２１と接続される。
【００３３】
また、この分岐箇所Ｓ１には、紙幣の搬送方向を、後方（鑑別部２１側）及び下方（下部筐体１３側）に切り替えることのできる切替器２５ａが設けられている。
【００３４】
さらに、上部搬送路２４は鑑別部２１を通過し、そこから上方に円弧を描くように折り返されて入出金口部２０内における底面後方と接続される。
【００３５】
さらに上部搬送路２４は、上方に円弧を描くように折り返されている搬送路の中央部分で後方に分岐してリジェクト庫２３と接続される。
【００３６】
この分岐箇所Ｓ２には、紙幣の搬送方向を上方（一時保留部２２及び入出金口部２０側）、後方（リジェクト庫２３側）、下方（鑑別部２１側）に切り替えることのできる切替器２５ｂが設けられている。
【００３７】
さらに上部搬送路２４は、上方に円弧を描くように折り返されている搬送路の上端部分で上方に分岐して一時保留部２２と接続される。
【００３８】
この分岐箇所Ｓ３には、紙幣の搬送方向を上方（一時保留部２２側）、前方（入出金口部２０側）、後方（リジェクト庫２３及び鑑別部２１側）に切り替えることのできる切替器２５ｃが設けられている。
【００３９】
切替器２５ａ〜２５ｃは、それぞれ制御部１０の制御により、適宜、紙幣の搬送先に応じて搬送方向を切り替えるようになっている。
【００４０】
一方、下部筐体１３は、板厚の鋼板で囲われた金庫筐体２６の内側に、紙幣貯蔵部２７が設けられた構成となっている。
【００４１】
この紙幣貯蔵部２７は、例えば保守作業を行う際などに、ＡＴＭ１の前面から引き出すことができるよう、前後方向にスライド可能となっている。
【００４２】
この紙幣貯蔵部２７には、複数（例えば５個）の縦長のスロット２８（２８ａ〜２８ｅ）が前後方向に並べて設けられている。さらに、それぞれのスロット２８内に、１個又は２個の紙幣収納カセット２９を着脱可能に装填できるようになっている。
【００４３】
また、この紙幣貯蔵部２７には、最後尾のスロット２８ｅより後方に、リジェクト庫３０が配置されている。
【００４４】
尚、詳しくは後述するが、各スロット２８には、スロット２８とほぼ同サイズの縦長の紙幣収納カセット（これを大収納カセットとも呼ぶ）２９Ｌを１個、もしくは縦の長さが大収納カセット２９Ｌの約半分のサイズでなる紙幣収納カセット（これを小収納カセットとも呼ぶ）２９Ｓを１個又は２個装填できるようになっている。
【００４５】
ここで、スロット２８に小収納カセット２９Ｓを２個装填する場合について説明する。まず、スロット２８の下部に下側用小収納カセット（これを下側用媒体収納カセットとも呼ぶ）２９Ｓｂを装填する。さらに、この下側用小収納カセット２９Ｓｂの上に重ねるようにして、スロット２８の上部に上側用小収納カセット（これを上側用媒体収納カセットとも呼ぶ）２９Ｓｕを装填する。
【００４６】
また、詳しくは後述するが、スロット２８に小収納カセット２９Ｓを１個だけ装填する場合は、スロット２８の下部を空にして、スロット２８の上部に上側用小収納カセット２９Ｓｕを装填する。
【００４７】
さらに下部筐体１３には、紙幣貯蔵部２７の上側に、前後方向に延在する搬送路（この搬送路をここでは下部搬送路と呼ぶ）３１が設けられている。
【００４８】
この下部搬送路３１は、各スロット２８に装填されている紙幣収納カセット２９及びリジェクト庫３０のそれぞれと接続されると共に、搬送路の前端部分が上方に延在して上部搬送路２４と接続される。
【００４９】
尚、スロット２８に２個の小収納カセット２９Ｓが装填されている場合、下側用小収納カセット２９Ｓｂは、上側用小収納カセット２９Ｓｕ内に設けられた搬送路（これをカセット内搬送路とも呼ぶ）３２を介して下部搬送路３１と接続される。
【００５０】
また下部搬送路３１には、各スロット２８及びリジェクト庫３０の上方に、それぞれ紙幣の搬送方向を前方（上部搬送路２４側）、後方（次のスロット２８又はリジェクト庫３０側）、下方（スロット２８側）に切り替えることのできる切替器３３（３３ａ〜３３ｅ）が配置されている。これら切替器３３は、制御部１０の制御により、適宜、紙幣の搬送先に応じて搬送方向を切り替えるようになっている。
【００５１】
以上の構成でなる紙幣入出金機４は、制御部１０（図２では省略）が、鑑別部２１による紙幣の鑑別結果などに基づいて、上部筐体１２及び下部筐体１３の各部を制御することで、紙幣の入金処理及び出金処理を行うようになっている。
【００５２】
すなわち、紙幣入出金機４は、入金取引時、利用者によりＡＴＭ１にキャッシュカードなどが挿入され、操作表示部６を介して取引項目（この場合、入金）などが入力されると、入出金口シャッタ５を開ける。
【００５３】
その後、紙幣入出金機４は、利用者により入出金口部２０に紙幣が投入されると、入出金口シャッタ５を閉じ、投入された紙幣を１枚ずつ鑑別部２１に搬送する。ここで、入出金口部２０から搬送されてくる紙幣が鑑別部２１により正常紙幣であると判別されると、この正常紙幣であると判別された紙幣については、一時保留部２２に搬送して収納する。一方で、鑑別部２１により入金に適さない入金リジェクト紙幣であると判別された紙幣については、入出金口部２０へ搬送して、入出金口シャッタ５を開くことで利用者に返却する。
【００５４】
その後、利用者の操作により入金金額が確定されると、一時保留部２２に収納している紙幣を鑑別部２１に搬送して金種を鑑別する。そして、鑑別部２１により鑑別された金種に応じて、各スロット２８に装填されている各紙幣収納カセット２９へ搬送して保管するようになっている。
【００５５】
一方、出金取引時において、紙幣入出金機４は、利用者によりＡＴＭ１にキャッシュカードなどが挿入され、操作表示部６を介して取引項目（この場合、出金）、暗証番号、出金金額などが入力されると、要求金額に応じて必要な金種毎の紙幣枚数を認識する。そして、顧客の要求金額に必要な金種毎の紙幣枚数に応じて各紙幣収納カセット２９から紙幣を１枚ずつ繰り出して、鑑別部２１に搬送する。
【００５６】
ここで、鑑別部２１により正常紙幣と判別された紙幣は入出金口部２０に搬送する。一方、鑑別部２１により出金に適さない出金リジェクト紙幣と判別された紙幣は一時保留部２２に搬送して収納する。
【００５７】
紙幣入出金機４は、出金金額分の紙幣が入出金口部２０へ集積されると、入出金口シャッタ５を開ける。これにより入出金口部２０内に集積されている紙幣の受け取りが可能な状態となり、利用者はこの紙幣を受け取る。
【００５８】
その後、紙幣入出金機４は、一時保留部２２に収納している出金リジェクト紙幣を、リジェクト庫２３又は３０へと搬送して保管する。
【００５９】
このようにして、紙幣入出金機４は、紙幣の入金処理及び出金処理を行うようになっている。
【００６０】
［３．紙幣貯蔵部のスロットの構成、及び紙幣収納庫の構成］
次に、紙幣貯蔵部２７のスロット２８の構成、及びこのスロット２８に装填される紙幣収納カセット２９の構成について、詳しく説明する。
【００６１】
まず図３を用いて、紙幣貯蔵部２７のスロット２８の構成について説明する。尚、図３では、説明を簡単にする為、紙幣貯蔵部２７のスロット２８以外の部分については省略している。
【００６２】
この図３に示すように、紙幣貯蔵部２７には、５個のスロット２８（２８ａ〜２８ｅ）が前後方向に並設されている。
【００６３】
各スロット２８は、上側が開口し、底面を有する箱型である。また、左右方向の一端側（図中手前側）の壁部（これを手前側壁部とも呼ぶ）４０が、他端側（図中奥側）の壁部（これを奥側壁部とも呼ぶ）４１の約半分の高さとなっている。さらに、これに合わせて前後方向の両側の壁部（これを側壁部とも呼ぶ）４２の上端が、奥側壁部４１の上端から手前側壁部４０の上端に架けて傾斜している。
【００６４】
すなわち、各スロット２８は、手前側壁部４０が奥側壁部４１より低く、上側の開口部の縁が奥側壁部４１から手前側壁部４０に架けて下方に傾斜した形状となっている。
【００６５】
また、各スロット２８の底部の所定位置には、装填された大収納カセット２９Ｌ又は下側用小収納カセット２９Ｓｂと電気的に接続する電気インタフェースのスロット側コネクタ４３と、大収納カセット２９Ｌ又は下側用小収納カセット２９Ｓｂ内のステージ（後述する）を動作させる駆動力を発生するステージモータ４４と、このステージモータ４４が発生した駆動力を、大収納カセット２９Ｌ又は下側用小収納カセット２９Ｓｂのステージに伝達するスロット側駆動伝達部４５とが設けられている。
【００６６】
さらに、各スロット２８の手前側壁部４０には、その上端部に、横長長方形の孔４６が形成され、この孔４６に、横長板状のレバー４７が自在に回動するように枢支されている。
【００６７】
このレバー４７は、スロット２８に上側用小収納カセット２９Ｓｕのみを装填するときに、下側用小収納カセット２９Ｓｂの代わりに上側用小収納カセット２９Ｓｕを支持するものである。
【００６８】
このレバー４７は、一端側を回転軸として手動で回動できるようになっていて、手前側壁部４０と平行な状態（これを開状態と呼ぶ）から、奥側壁部４１側に突出するように回転することで、手前側壁部４０と直行する状態（これを閉状態と呼ぶ）に遷移できるようになっている。
【００６９】
尚、このレバー４７は、手前側壁部４０と平行な開状態のときには、手前側壁部４０よりも奥側壁部４１側に突出しないようになっている。
【００７０】
スロット２８に大収納カセット２９Ｌ又は上側用小収納カセット２９Ｓｕと下側用小収納カセット２９Ｓｂを装填するときには、レバー４７を手前側壁部４０に対して平行な開状態とする。
【００７１】
これにより、レバー４７が、大収納カセット２９Ｌ又は上側用小収納カセット２９Ｓｕ及び下側用小収納カセット２９Ｓｂと物理的に干渉することなく、大収納カセット２９Ｌ又は上側用小収納カセット２９Ｓｕ及び下側用小収納カセット２９Ｓｂを、スロット２８に装填できる。
【００７２】
これに対して、スロット２８に上側用小収納カセット２９Ｓｕのみを装填するときには、レバー４７を手前側壁部４０に対して直行する閉状態とする。このとき、このレバー４７は、図４に示すように、上側用小収納カセット２９Ｓｕの底部に当接して支持することで、上側用小収納カセット２９Ｓｕを、スロット２８の上部で保持するようになっている。
【００７３】
さらに、各スロット２８の奥側壁部４１（図３）の内壁には、その上端から中央に架けて下方に延在する溝４８が形成されている。この溝４８の下端面には、上側用小収納カセット２９Ｓｕと電気的に接続する電気インタフェースのスロット側コネクタ４９が設けられている。
【００７４】
このスロット側コネクタ４９は、スロット２８の上部に上側用小収納カセット２９Ｓｕを装填したときに、ちょうど上側用小収納カセット２９Ｓｕのカセット側コネクタ（後述する）と接続されるように、その位置が選定されている。
【００７５】
またこの上側用小収納カセット２９Ｓｕ用のスロット側コネクタ４９は、奥側壁部４１の内壁に形成された溝４８内に設けられている。こうすることで、スロット２８に大収納カセット２９Ｌ又は下側用小収納カセット２９Ｓｂを装填したときに、上側用小収納カセット２９Ｓｕ用のスロット側コネクタ４９と物理的に干渉しないようになっている。
【００７６】
ここで、参考までに、従来の紙幣貯蔵部のスロットの構成を図５に示す。図５で示した従来のスロット２１０（２１０ａ〜２１０ｅ）と図３で示した本実施の形態のスロット２８とを比較すると、従来のスロット２１０からレバー４７、奥側壁部４１の溝４８及びスロット側コネクタ４９が省略された構成となっている。
【００７７】
すなわち、本実施の形態のスロット２８において、紙幣収納カセットを収納するために必要な空間は、従来のスロット２１０から変化していない。したがって、従来のスロット２１０に装填される紙幣収納カセットを、本実施の形態のスロット２８の大収納カセット２９Ｌとして装填できるようになっている。
【００７８】
尚、ここでは、説明を省略したが、リジェクト庫３０についても、紙幣収納カセット２９と同様、紙幣貯蔵部２７から着脱自在なカセット型としてもよい。
【００７９】
次に、紙幣収納カセット２９の構成について詳しく説明する。まず図６を用いて大収納カセット２９Ｌについて説明する。
【００８０】
この大収納カセット２９Ｌは、図５に示した従来のスロット２１０に装填可能な紙幣収納カセットと同様の構成であり、大収納カセット２９Ｌ内に搬入された紙幣を集積すると共に、集積されている紙幣を１枚ずつ分離して繰り出す分離集積機能を有している。
【００８１】
この大収納カセット２９Ｌは、スロット２８とほぼ同じサイズで、縦長直方体の形状で形成されている。また、図６（Ｂ）に示すように、大収納カセット２９Ｌの天板部には、大収納カセット２９Ｌを持ち運ぶ為のコの字型の取手６０が回動自在に取り付けられている。
【００８２】
この取手６０は、大収納カセット２９Ｌの天板部と平行な状態から、天板部に対して直立する状態にまで回動できる。これにより、大収納カセット２９Ｌの持ち運び時には、取手６０が天板部に対して直立する状態にまで回動させられて、作業員に把持されるようになっている。
【００８３】
また、天板部には、後端寄りの所定位置に紙幣入出口６１が設けられている。
【００８４】
大収納カセット２９Ｌ内には、紙幣入出口６１下方の近傍にフィードローラ６２が配置され、さらにこのフィードローラ６２の後方にピンチローラ６３が対向して配置されている。
【００８５】
さらに、このフィードローラ６２及びピンチローラ６３と、紙幣入出口６１までの間の搬送路６４上にも、搬送路６４を挟んで複数の搬送ローラ６５が配置されている。
【００８６】
さらにフィードローラ６２の下方にゲートローラ６６が対向配置されていて、フィードローラ６２の前方には、所定の間隔を隔ててピッカローラ６７が配置されている。
【００８７】
さらに、フィードローラ６２の下方には、舌片を有する舌片ローラ６８が配置されている。尚、ここでは、フィードローラ６２、ピンチローラ６３、ゲートローラ６６、ピッカローラ６７、舌片ローラ６８を、まとめて分離集積ローラとも呼ぶ。
【００８８】
さらに大収納カセット２９Ｌ内には、ゲートローラ６６より前方且つピッカローラ６７より下方のスペースに、大収納カセット２９Ｌの下端近傍まで延在する縦長直方体形状の紙幣収納庫６９が配置されている。
【００８９】
またこの紙幣収納庫６９内には、紙幣収納庫６９内を上下方向に移動可能な板状のステージ７０が設けられている。紙幣収納庫６９は、このステージ７０上に紙幣を集積することで紙幣を収納するようになっている。
【００９０】
さらに大収納カセット２９Ｌには、紙幣収納庫６９の前方の壁部に、扉７１が設けられている。この扉７１は、例えば、紙幣収納庫６９内に集積された紙幣を取り出すときなどに開けられるようになっている。
【００９１】
さらに大収納カセット２９Ｌ内には、所定位置に、搬送ローラ６５及び分離集積ローラ６２、６３、６６、６７、６８を回転させるための動力を発生させるローラモータ（図示せず）が設けられている。
【００９２】
さらに、大収納カセット２９Ｌの底部には、スロット２８の底部に設けられた電気インタフェースのスロット側コネクタ４３と対向する位置に、当該スロット側コネクタ４３と接続するカセット側コネクタ７２が設けられている。また、スロット２８の底部に設けられたステージモータ４４と対向する位置に、このステージモータ４４が嵌入される凹部７３が設けられている。さらに、スロット２８の底部に設けられたスロット側駆動伝達部４５と対向する位置に、このスロット側駆動伝達部４５と接続するカセット側駆動伝達部７４が設けられている。
【００９３】
尚、カセット側コネクタ７２は、ローラモータと接続されていて、ＡＴＭ１側から供給される電力及び制御信号をローラモータに送るようになっている。またカセット側駆動伝達部７４は、ステージ７０と接続されていて、ステージモータ４４の動力をステージ７０に伝達するようになっている。
【００９４】
すなわち、大収納カセット２９Ｌは、ＡＴＭ１側から供給される電力及び制御信号によりローラモータを駆動させて、搬送ローラ６５及び分離集積ローラ６２、６３、６６、６７、６８を回転させる。また、ＡＴＭ１側から伝達されるステージモータ４４の動力によりステージ７０を移動させるようになっている。
【００９５】
大収納カセット２９Ｌは、このような構成でなり、スロット２８に装填されると、底部に設けられたカセット側コネクタ７２が、スロット２８の底部に設けられたスロット側コネクタ４３と接続される。また底部に設けられたカセット側駆動伝達部７４が、スロット２８の底部に設けられたスロット側駆動伝達部４５と接続される。またこのとき紙幣入出口６１が下部搬送路３１と接続される。
【００９６】
実際に紙幣を集積する場合、大収納カセット２９Ｌでは、下部搬送路３１から紙幣入出口６１を通って大収納カセット２９Ｌ内に搬入された紙幣が、搬送ローラ６５によりフィードローラ６２とピンチローラ６３の間に送り込まれる。さらにこの紙幣はフィードローラ６２とピンチローラ６３に挟持されて、フィードローラ６２とゲートローラ６６の間に送り込まれる。
【００９７】
さらにこの紙幣は、フィードローラ６２とゲートローラ６６の間から紙幣収納庫６９内に放出される。
【００９８】
紙幣収納庫６９内に放出された紙幣は、その後端を舌片ローラ６８の舌片により叩き落とされると共に、舌片ローラ６８側に引き寄せられて、ステージ７０上に集積された１番上の紙幣の上に集積される。
【００９９】
このような動作を繰り返すことで、大収納カセット２９Ｌの紙幣収納庫６９内に紙幣が集積されていく。
【０１００】
尚、このとき大収納カセット２９Ｌでは、常にステージ７０の上方に紙幣を集積するスペースが確保されるように、集積されている紙幣の枚数に応じてステージ７０が下降するようになっている。
【０１０１】
これに対して、紙幣を繰り出す場合について説明する。大収納カセット２９Ｌでは、ピッカローラ６７によりステージ７０上に集積されている１番上の紙幣が押圧される位置まで、ステージ７０を上昇させる。
【０１０２】
そして、ステージ７０上に集積されている１番上の紙幣がピッカローラ６７により押圧された状態で、ピッカローラ６７を回転させる。
【０１０３】
このとき、ゲートローラ６６は停止していて、フィードローラ６２のみが回転することにより、ステージ７０上に集積されている１番上の紙幣が、２番目以降の紙幣から分離されて、フィードローラ６２とゲートローラ６６の間に送り込まれる。
【０１０４】
さらにこの紙幣は、フィードローラ６２の回転により、フィードローラ６２とピンチローラ６３との間に送り込まれる。
【０１０５】
そして、この紙幣は、フィードローラ６２とピンチローラ６３の間から送り出され、搬送ローラ６５により紙幣入出口６１まで搬送され、紙幣入出口６１から下部搬送路３１へと繰り出される。
【０１０６】
このような動作を繰り返すことで、大収納カセット２９Ｌの紙幣収納庫６９内に集積されている紙幣が１枚ずつ繰り出されていく。
【０１０７】
このようにして大収納カセット２９Ｌは、紙幣の集積及び繰り出しを行う。
【０１０８】
次に、下側用小収納カセット２９Ｓｂについて、図７を用いて説明する。この下側用小収納カセット２９Ｓｂは、縦の長さ（高さ）が上述した大収納カセット２９Ｌの約半分のサイズでなり、それに合わせて、紙幣収納庫６９の縦の長さも大収納カセット２９Ｌのものと比べて約半分となっている。
【０１０９】
それ以外の部分については大収納カセット２９Ｌと同様であるので詳しい説明は省略する。
【０１１０】
尚、図７（Ｂ）に示すように、下側用小収納カセット２９Ｓｂ内には、紙幣収納庫６９と天板部との間に、ローラモータ７５が配置されている。
【０１１１】
最後に、上側用小収納カセット２９Ｓｕについて、図８を用いて説明する。この上側用小収納カセット２９Ｓｕも、分離集積機能を有している。
【０１１２】
この上側用小収納カセット２９Ｓｕは、縦の長さ（高さ）が大収納カセット２９Ｌの約半分のサイズで形成される。また、図８（Ａ）に示すように、上側用小収納カセット２９Ｓｕの天板部には、大収納カセット２９Ｌと同様の取手８０が回動自在に取り付けられている。
【０１１３】
さらに天板部には、大収納カセット２９Ｌの紙幣入出口６１と同様の位置、すなわち後端寄りの所定位置に紙幣入出口（これを上側入出口とも呼ぶ）８１が設けられている。また上側用小収納カセット２９Ｓｕの底部には、後端寄りの所定位置、すなわち上側入出口８１の下方に、紙幣入出口（これを下側入出口とも呼ぶ）８２が設けられている。
【０１１４】
この下側入出口８２は、上側用小収納カセット２９Ｓｕを下側用小収納カセット２９Ｓｂの上に重ねたときに、下側用小収納カセット２９Ｓｂの天板部に設けられた紙幣入出口６１と対向するようになっている。
【０１１５】
上側用小収納カセット２９Ｓｕ内には、上側入出口８１と下側入出口８２とを繋ぐ直線状のカセット内搬送路３２が設けられている。
【０１１６】
このカセット内搬送路３２上には、カセット内搬送路３２を挟んで複数の搬送ローラ８３が配置されている。
【０１１７】
さらにこの上側用小収納カセット２９Ｓｕ内には、上側入出口８１近傍のカセット内搬送路３２より中央寄りの所定位置（すなわち上側入出口８１の前方斜め下）に、フィードローラ８４が配置されている。さらにこのフィードローラ８４の後方には、フィードローラ８４と対向するようにピンチローラ８５が配置されている。
【０１１８】
さらにフィードローラ８４の下方にゲートローラ８６が対向配置されている。また、フィードローラ８４の前方には、所定の間隔を隔ててピッカローラ８７が配置されている。
【０１１９】
さらに、フィードローラ８４の下方には、舌片を有する舌片ローラ８８が配置されている。尚、これら、フィードローラ８４、ピンチローラ８５、ゲートローラ８６、ピッカローラ８７、舌片ローラ８８を、分離集積ローラとも呼ぶ。
【０１２０】
さらに上側用小収納カセット２９Ｓｕ内には、ゲートローラ８６より前方且つピッカローラ８７より下方のスペースに、上側用小収納カセット２９Ｓｕの下端近傍まで延在する縦長直方体形状の紙幣収納庫８９が配置されている。またこの紙幣収納庫８９内には、ステージ９０が設けられている。
【０１２１】
さらに上側用小収納カセット２９Ｓｕには、紙幣収納庫８９の前方の壁部に、扉９１が設けられている。
【０１２２】
尚、上側用小収納カセット２９Ｓｕは、下側用小収納カセット２９Ｓｂと比べて、カセット内搬送路３２を有している分、紙幣収納庫８９の為に確保できるスペースが前後方向に狭くなっている。ゆえに、この上側用小収納カセット２９Ｓｕの紙幣収納庫８９は、下側用小収納カセット２９Ｓｂのものよりも前後方向に狭いサイズのものとなっている。
【０１２３】
またカセット内搬送路３２は、上側入出口８１近傍で、前方斜め下に分岐して、フィードローラ８４及びピンチローラ８５の間まで延びている。
【０１２４】
またこの分岐箇所Ｓ５には、紙幣の搬送方向を上方（上側入出口８１側）、下方（下側入出口８２側）、前方（紙幣収納庫８９側）に切り替えることのできる切替器９２が配置されている。
【０１２５】
図８（Ｂ）に示すように、さらに上側用小収納カセット２９Ｓｕ内には、例えば、紙幣収納庫８９と上側用小収納カセット２９Ｓｕの天板部との間に、搬送ローラ８３を回転させるための動力を発生させる搬送ローラモータ９３が設けられている。また、分離集積ローラ８４〜８８を回転させるための動力を発生させる分離集積ローラモータ９４も配置されている。
【０１２６】
さらに上側用小収納カセット２９Ｓｕ内には、例えば、紙幣収納庫８９とカセット内搬送路３２との間に、ステージ９０を駆動させるための動力を発生させるステージモータ９５が配置されている。
【０１２７】
さらに上側用小収納カセット２９Ｓｕ内には、カセット内搬送路３２の分岐箇所Ｓ５近傍に、切替器９２を動作させるためのアクチュエータとして、スイングセレクタ９６が配置されている。
【０１２８】
さらに、図８（Ｃ）に示すように、上側用小収納カセット２９Ｓｕの側面部のうち、スロット２８への装填時にスロット２８の奥側壁部４１と対向する側面部には、スロット２８の奥側壁部４１に形成された溝４８に嵌合する形状の突部９７が形成される。さらに、この突部９７の下端面には、スロット２８内における奥側壁部４１の溝４８の下端面に設けられたスロット側コネクタ４９と接続するためのカセット側コネクタ９８が設けられている。
【０１２９】
尚、このカセット側コネクタ９８は、搬送ローラモータ９３、分離集積ローラモータ９４、ステージモータ９５、スイングセレクタ９６と接続されていて、ＡＴＭ１側からこれらに電力及び制御信号を送るようになっている。
【０１３０】
すなわち、上側用小収納カセット２９Ｓｕは、ＡＴＭ１側から供給される電力及び制御信号により搬送ローラモータ９３、分離集積ローラモータ９４、ステージモータ９５、スイングセレクタ９６を駆動させる。それにより、搬送ローラ８３及び分離集積ローラ８４〜８８を回転させ、ステージ９０を移動させ、さらに切替器９２を動作させるようになっている。
【０１３１】
このような構成でなる上側用小収納カセット２９Ｓｕは、スロット２８の上部に装填されると、側面部に設けられた突部９７が、スロット２８の上部の溝４８に嵌合する。さらに、上側用小収納カセット２９Ｓｕの突部９７に設けられたカセット側コネクタ９８が、スロット２８の溝４８に設けられたスロット側コネクタ４９と接続される。また、このとき上側用小収納カセット２９Ｓｕの上側入出口８１が下部搬送路３１と接続される。
【０１３２】
実際に紙幣を集積する場合について説明する。上側用小収納カセット２９Ｓｕは、まず切替器９２により紙幣の搬送方向を紙幣収納庫８９側に切り換える。そして、下部搬送路３１から上側入出口８１を通って上側用小収納カセット２９Ｓｕ内に搬入した紙幣を、紙幣収納庫８９側に搬送する。そして、大収納カセット２９Ｌの動作と同様に、フィードローラ８４、ピンチローラ８５、ゲートローラ８６、舌片ローラ８８により、ステージ９０上に紙幣を集積する。
【０１３３】
これに対して、紙幣を繰り出す場合について説明する。上側用小収納カセット２９Ｓｕは、まず切替器９２により搬送方向を上側入出口８１側に切り換える。そして、ピッカローラ８７、フィードローラ８４、ピンチローラ８５、ゲートローラ８６により、紙幣収納庫８９から搬送路へ送り出した紙幣を、上側入出口８１へと搬送して、上側入出口８１から下部搬送路３１へと繰り出す。
【０１３４】
このようにして上側用小収納カセット２９Ｓｕは、紙幣の集積及び繰り出しを行う。
【０１３５】
また、図９で示したように、下側用小収納カセット２９Ｓｂの上に上側用小収納カセット２９Ｓｕが重ねられている状態で、下側用小収納カセット２９Ｓｂに紙幣を搬送する場合について説明する。まず、上側用小収納カセット２９Ｓｕの切替器９２により紙幣の搬送方向を下側入出口８２側に切り替える。
【０１３６】
そして、下部搬送路３１から上側入出口８１を通って上側用小収納カセット２９Ｓｕ内に搬入した紙幣を、搬送ローラ８３により、カセット内搬送路３２を通して下側入出口８２へと搬送し、下側入出口８２から繰り出す。
【０１３７】
このようにして繰り出された紙幣は、下側入出口８２と接続されている下側用小収納カセット２９Ｓｂの紙幣入出口６１から下側用小収納カセット２９Ｓｂ内に搬入される。
【０１３８】
さらに、下側用小収納カセット２９Ｓｂの上に上側用小収納カセット２９Ｓｕが重ねられている状態で、下側用小収納カセット２９Ｓｂから繰り出された紙幣を、下部搬送路３１に搬送する場合について説明する。まず、上側用小収納カセット２９Ｓｕの切替器９２により紙幣の搬送方向を上側入出口８１側に切り換える。
【０１３９】
そして、下側用小収納カセット２９Ｓｂの紙幣入出口６１から繰り出された紙幣を、下側入出口８２から上側用小収納カセット２９Ｓｕ内に搬入する。上側用小収納カセット２９Ｓｕ内に搬入された紙幣を、搬送ローラ８３により、カセット内搬送路３２を通して上側入出口８１へと搬送し、上側入出口８１から、下部搬送路３１へと繰り出す。
【０１４０】
このように、上側用小収納カセット２９Ｓｕは、下部搬送路３１と、下側用小収納カセット２９Ｓｂとの間を繋ぐ搬送路としても機能する。
【０１４１】
尚、大収納カセット２９Ｌ、上側用小収納カセット２９Ｓｕ、および下側用小収納カセット２９Ｓｂには、それぞれ個別のＩＤ番号が付与されている。これにより、別々の紙幣収納カセット２９として制御部１０に認識されるようになっている。
【０１４２】
また、大収納カセット２９Ｌの扉７１、上側用小収納カセット２９Ｓｕの扉９１、下側用小収納カセット２９Ｓｂの扉７１は、それぞれ異なる鍵で施錠するようになっている。これにより、紙幣収納カセット２９毎にセキュリティーが確保されるようにもなっている。
【０１４３】
このように、紙幣入出金機４では、大収納カセット２９Ｌ、上側用小収納カセット２９Ｓｕ、下側用小収納カセット２９Ｓｂを、別々の紙幣収納カセット２９として扱うようになっている。
【０１４４】
ここで、スロット２８に対する紙幣収納カセット２９の着脱方法についても簡単に説明する。上述したように、スロット２８は、手前側壁部４０が奥側壁部４１より低く、開口部の縁が奥側壁部４１から手前側壁部４０に架けて下方に傾斜した形状となっている
【０１４５】
よって、スロット２８に紙幣収納カセット２９を装填する場合、図１０に示すように、紙幣収納カセット２９を手前側壁部４０の上まで持ち上げた後、手前側壁部４０から奥側壁部４１へと水平方向に移動させ、奥側壁部４１に当接したら、下方に下ろして装填する。
【０１４６】
こうすることで、数キロ〜数十キログラムにもなる紙幣収納カセット２９を、スロット２８の真上（すなわち奥側壁部４１より上）まで持ち上げる必要がなくなる。これにより、容易に紙幣収納カセット２９の装填作業を行うことができる。
【０１４７】
また、紙幣収納カセット２９を、スロット２８の側壁部４２の間で位置合わせした後、奥側壁部４１に当接するまで水平方向に移動させることで、スロット２８に装填することができる。これにより、スロット２８の真上から下方に下ろして装填する場合と比して、位置合わせが容易となっている。
【０１４８】
尚、紙幣収納カセット２９を取り出す場合には、装填時とは逆の手順によりスロット２８から取り出すことができる。
【０１４９】
［４．効果］
以上の構成において、紙幣入出金機４を国内で使用する場合には、例えば、図１１に示すように、従来の紙幣入出金機と同様に、５個のスロットに５個の大収納カセット２９Ｌを装填することができる。この場合、５種類の紙幣に対応でき、従来と同様の運用が可能となる。
【０１５０】
これに対して、例えば、紙幣入出金機４を国内よりも金種の多い他の国で使用する場合には、図２や図４に示したように、使用する国の金種に応じて、各スロットに１個の大収納カセット２９Ｌ、２個の小収納カセット２９Ｓ、又は１個の上側用小収納カセット２９Ｓｕを装填するようにする。
【０１５１】
こうすることで、スロット２８の数及び大きさはそのままに、６種類以上の紙幣に対応することができる。これにより、国内よりも金種の多い他の国での運用が可能となる。
【０１５２】
またこのように紙幣収納カセット２９の数が増えたことにより、以下のように運用してもよい。例えば、紙幣を痛み具合によってランク分けし、同金種の紙幣をそのランクごとに別々の紙幣収納カセット２９に収納するような運用も可能となる。尚、紙幣の痛み具合については、例えば、鑑別部２１により判別するようにする。
【０１５３】
また、図２や図４に示したように、この紙幣入出金機４では、５個のスロットに装填する紙幣収納カセット２９を、大収納カセット２９Ｌと小収納カセット２９Ｓから任意に選択することができる。したがって、例えば、流通量の多い紙幣は大収納カセット２９Ｌ、流通量の少ない紙幣は小収納カセット２９Ｓに集積させるなどして、多様な形態での運用が可能となる。
【０１５４】
また紙幣入出金機４では、上側用小収納カセット２９Ｓｕと下側用小収納カセット２９Ｓｂが独立していて、個別にスロット２８から着脱可能となっている。
【０１５５】
例えば、スロット２８に、上側用小収納カセット２９Ｓｕと下側用小収納カセット２９Ｓｂが装填されている時に、上側用小収納カセット２９Ｓｕのメンテナンスが必要となった場合、この上側用小収納カセット２９Ｓｕのみをスロット２８から取り外してメンテナンスすることができる。
【０１５６】
下側用小収納カセット２９Ｓｂのメンテナンスが必要となった場合は、まず上側用小収納カセット２９Ｓｕを取り外すことになる。しかし、下側用小収納カセット２９Ｓｂを取り外した後、この上側用小収納カセット２９Ｓｕはスロット２８に戻すことができる。こうすることで下側用小収納カセット２９Ｓｂのみをメンテナンスすることができる。
【０１５７】
さらにこの場合、上側用小収納カセット２９Ｓｕは、下側用小収納カセット２９Ｓｂがスロット２９に装填されてなくても動作させることができる。そのため、下側用小収納カセット２９Ｓｂをメンテナンスしている間、上側用小収納カセット２９Ｓｕのみで紙幣入出金機４を運用することもできる。
【０１５８】
以上の構成によれば、紙幣入出金機４は、メンテナンス性を損なうことなく多様な紙幣に対応できる。
【０１５９】
［５．他の実施の形態］
［５−１．他の実施の形態１］
尚、上述した実施の形態では、小収納カセット２９Ｓ内に１つの紙幣収納庫６９又は８９を設けるようにした。
【０１６０】
これに限らず、小収納カセット２９Ｓ内に複数の紙幣収納庫を設けるようにしてもよい。一例として、このような複数の紙幣収納庫を有する上側用小収納カセット１００を、図１２に示す。この上側用小収納カセット１００は、集積専用であり繰り出し機能は有していない。
【０１６１】
尚、図８で示した上側用小収納カセット２９Ｓｕと同一部分については、図１２においても同一の符号を付している。またここでは、同一部分の説明については適宜省略する。
【０１６２】
上側用小収納カセット１００は、上側用小収納カセット２９Ｓｕと同じサイズでなり、上側用小収納カセット２９Ｓｕと互換性を有している。
【０１６３】
この上側用小収納カセット１００内には、上側入出口８１近傍の、カセット内搬送路３２より中央寄りの所定位置（すなわち上側入出口８１の前方斜め下）に、フィードローラ１０１が配置されている。さらにこのフィードローラ１０１の下方に、ゲートローラ１０２が対向配置されている。
【０１６４】
さらにフィードローラ１０１の下方には、舌片を有する舌片ローラ１０３が配置されている。尚、これら、フィードローラ１０１、ゲートローラ１０２、舌片ローラ１０３を、集積ローラとも呼ぶ。
【０１６５】
さらに上側用小収納カセット１００内には、フィードローラ１０１より下方且つゲートローラ１０２より前方のスペースに、上側用小収納カセット１００の上下方向の中央部分まで延在する直方体形状の紙幣収納庫１０４が配置されている。またこの紙幣収納庫１０４内には、ステージ１０５が設けられている。
【０１６６】
この紙幣収納庫１０４は、前端側が後端側より下方となるよう傾斜している。これに応じて、ステージ１０５も、前端側が後端側より下方となるように傾斜している。
【０１６７】
これにより、紙幣収納庫１０４内に集積される紙幣の先端が、紙幣収納庫１０４の前端側の壁面に当接して整列するようになっている。
【０１６８】
この紙幣収納庫１０４は、集積専用の収納庫であり、ステージ１０５がスプリング（図示せず）に固定されている。このスプリングにより、ステージ１０５は集積された紙幣の重さに応じて、紙幣収納庫１０４内を下方に移動するようになっている。
【０１６９】
またカセット内搬送路３２は、上側入出口８１近傍で前方斜め下方向に分岐して、フィードローラ１０１及びゲートローラ１０２の間まで延びている。
【０１７０】
この分岐箇所Ｓ６には、紙幣の搬送方向を上方（上側入出口８１側）、下方（下側入出口８２側）、前方（紙幣収納庫１０４側）に切り替えることのできる切替器１０６が配置されている。
【０１７１】
ここで、これらフィードローラ１０１、ゲートローラ１０２、舌片ローラ１０３、切替器１０６からなる機構を、上側振分機構と呼ぶ。また、上側用小収納カセット１００内には、この上側振分機構の下方にもう一つ同様の振分機構（これを下側振分機構とも呼ぶ）及び紙幣収納庫１０４が設けられている。
【０１７２】
さらに、図１２（Ｂ）に示すように、この上側用小収納カセット１００内には、上側の紙幣収納庫１０４と天板部との間に、搬送ローラ８３及び集積ローラ１０１〜１０３を回転させるための動力を発生させるローラモータ１０７が配置されている。
【０１７３】
実際に、この上側用小収納カセット１００で、上側の紙幣収納庫１０４に紙幣を収納する場合について説明する。まずＡＴＭ１側から供給される電力及び制御信号に基づいて、上側振分機構の切替器１０６を動作させ、紙幣の搬送方向を上側の紙幣収納庫１０４側に切り換える。そして、上側入出口８１を通って上側用小収納カセット１００内に搬入された紙幣を、上側の紙幣収納庫１０４側に搬送して、上側振分機構の集積ローラ１０１〜１０３によりステージ１０５上に集積する。
【０１７４】
これに対して、下側の紙幣収納庫１０４に紙幣を収納する場合について説明する。ＡＴＭ１側から供給される電力及び制御信号に基づいて、上側振分機構の切替器１０６を動作させ、紙幣の搬送方向を下方に切り替える。それと共に、下側振分機構の切替器１０６を動作させ、紙幣の搬送方向を下側の紙幣収納庫１０４側に切り換える。
【０１７５】
そして、上側入出口８１を通って上側用小収納カセット１００内に搬入された紙幣を、下側の紙幣収納庫１０４側に搬送して、下側振分機構の集積ローラ１０１〜１０３によりステージ１０５上に集積する。
【０１７６】
このように、上側用小収納カセット１００では、上側振分機構と下側振分機構により、紙幣を上側と下側の紙幣収納庫１０４に振り分けて収納することができる。
【０１７７】
このようにすれば、１つの上側用小収納カセット１００で２つの金種の紙幣に対応することができる。したがって、上述した実施の形態と比べて、より多くの金種に対応することができる。
【０１７８】
またこの上側用小収納カセット１００が、上側用小収納カセット２９Ｓｕと同じサイズとすることで互換性を有している。したがって、図１３で示したように、紙幣入出金機４では、この上側用小収納カセット１００と上側用小収納カセット２９Ｓｕとを紙幣貯蔵部２７内で混在させて使用することができる。
【０１７９】
こうすることで、上述した実施の形態と比べて、より多様な形態での運用が可能となる。
【０１８０】
尚、ここでは、上側用小収納カセット１００に、２個の振分機構と紙幣収納庫１０４を設けるようにした。しかしながら、これに限らず、上側用小収納カセット１００内に３個以上の振分機構と紙幣収納庫１０４とを、上下方向に並設するようにしてもよい。
【０１８１】
［５−２．他の実施の形態２］
また、上述した実施の形態では、スロット２８に上側用小収納カセット２９Ｓｕのみを装填する場合において、スロット２８の手前側壁部４０のレバー４７を閉状態にすることで、このレバー４７を上側用小収納カセット２９Ｓｕの底部に当接させて上側用小収納カセット２９Ｓｕを支持するようにした。
【０１８２】
ここで、レバー４７が閉状態のときに、レバー４７を上側用小収納カセット２９Ｓｕの下側入出口８２を塞ぐ蓋として機能するようにしてもよい。
【０１８３】
この場合、例えば、レバー４７の上端部の大きさを下側入出口８２を十分塞ぐことのできる大きさにすると共に、閉状態のレバー４７が下側入出口８２の真下にくるように回転軸の位置を調整すればよい。
【０１８４】
このようにすれば、スロット２８に上側用小収納カセット２９Ｓｕのみを装填している状態で、上側用小収納カセット２９Ｓｕの下側入出口８２から誤って紙幣が放出されることがない。これにより、スロット２８の底に紙幣が放置されてしまうような状況を防ぐことができる。
【０１８５】
またこれに限らず、例えば、上側用小収納カセット２９Ｓｕ底部のレバー４７と当接する箇所に、レバー４７を検知する検知部を設けるなどしてもよい。この検知部がレバー４７を検知している間（すなわちレバー４７が閉状態の間）は、上側用小収納カセット２９Ｓｕ内の切替器９２が下方（すなわち下側入出口８２側）に切り替わらないように制御するなどしてもよい。
【０１８６】
このようにすれば、スロット２８に上側用小収納カセット２９Ｓｕのみを装填している状態で、誤って上側用小収納カセット２９Ｓｕの下側入出口８２から紙幣が放出されることがない。したがって、レバー４７で下側入出口８２に蓋をする場合と同様に、スロット２８の底に放置されてしまうような状況を防ぐことができる。
【０１８７】
また誤ってレバー４７を閉じずに、上側用小収納カセット２９Ｓｕのみを装填してしまっているような状況を検知でき、これを作業員に通知するようなこともできる。
【０１８８】
尚、レバー４７を検知する検知部としては、例えば、センサなどのレバー４７とは非接触でレバー４７を検知できるものでもよい。また、レバー４７と接触することでレバー４７を検知できるものでもよい。つまり、レバー４７が閉状態であることを検知できるものであればよい。
【０１８９】
また検知結果をもとに制御するだけでなく、上側用小収納カセット２９Ｓｕがレバー４７と接触した部分が、リンク機構により駆動して、上側用小収納カセット２９Ｓｕ内の切替器９２を、下方（すなわち下側入出口８２側）に切り替わらないように固定するなどしてもよい。
【０１９０】
［５−３．他の実施の形態３］
さらに、上述した実施の形態では、各スロット２８に、縦の長さが大収納カセット２９Ｌの約半分のサイズでなる小収納カセット２９Ｓを最大２個装填できるようにした。
【０１９１】
これに限らず、図１４に示すように、縦の長さが大収納カセット２９Ｌの約１／３のサイズの小収納カセット１２０Ｓ（１２０Ｓｕ、１２０Ｓｍ、１２０Ｓｂ）を用いて、各スロット１２１（１２１ａ〜１２１ｅ）に、小収納カセット１２０Ｓを最大３個装填できるようにしてもよい。
【０１９２】
ここで、スロット１２１に小収納カセット１２０Ｓを３個装填する場合について説明する。まず、スロット１２１の最下部に下側用小収納カセット１２１Ｓｂを装填する。次に、この下側用小収納カセット１２１Ａｂの上に重ねるようにして、スロット１２１の中間部に中間用小収納カセット１２１Ｓｍを装填する。さらに、この中間用小収納カセット１２１Ｓｍの上に重ねるようにして、スロット１２１の最上部に上側用小収納カセット１２１Ｓｕを装填する。
【０１９３】
また、スロット１２１に小収納カセット１２０Ｓを２個装填する場合について説明する。まず、スロット１２１の最下部には下側用小収納カセット１２１Ｓｂを装填せずに、空の状態にする。次に、スロット１２１の中間部に中間用小収納カセット１２１Ｓｍを装填する。さらに、この中間用小収納カセット１２１Ｓｍの上に重ねるようにして、スロット１２１の最上部に上側用小収納カセット１２１Ｓｕを装填する。
【０１９４】
さらに、スロット１２１に小収納カセット１２０Ｓを１個だけ装填する場合について説明する。まずスロット１２１の最下部と中間部には小収納カセット１２０Ｓを装填せずに、空の状態にする。そしてスロット１２１の最上部に上側用小収納カセット１２１Ｓｕを装填する。
【０１９５】
尚、上側用小収納カセット１２１Ｓｕは、下部搬送路３１と接続され、中間用小収納カセット１２１Ｓｍは、上側用小収納カセット１２１Ｓｕのカセット内搬送路を介して下部搬送路３１と接続される。さらに、下側用小収納カセット１２１Ｓｂは、中間用小収納カセット１２１Ｓｍのカセット内搬送路と上側用小収納カセット１２１Ｓｕのカセット内搬送路を介して下部搬送路３１と接続される。
【０１９６】
また、各スロット１２１は、上述した実施の形態の各スロット２８と同サイズである。よって、スロット２８と同様に、小収納カセット１２０Ｓの代わりに、大収納カセット２９Ｌを１個装填できるようにもなっている。
【０１９７】
次に、紙幣貯蔵部２７のスロット１２１の構成、及びこのスロット１２１に装填される小収納カセット１２０Ｓについて、詳しく説明する。
【０１９８】
尚、紙幣貯蔵部２７のスロット１２１以外の部分、及び大収納カセット２９Ｌについては、上述した実施の形態のものと同じ構成であるため、ここでは説明を省略する。
【０１９９】
まず図１５を用いて、スロット１２１の構成について説明する。この図１５に示すように、紙幣貯蔵部２７には、５個のスロット１２１（１２１ａ〜１２１ｅ）が前後方向に並設されている。
【０２００】
各スロット１２１は、上側が開口し、底面を有する箱型である。左右方向の一端側（図中手前側）の手前側壁部１３０が、他端側（図中奥側）の奥側壁部１３１の約２／３の高さとなっている。また、これに合わせて前後方向の両側の側壁部１３２の上端が、奥側壁部１３１の上端から手前側壁部１３０の上端に架けて傾斜している。
【０２０１】
すなわち、各スロット１２１は、手前側壁部１３０が奥側壁部１３１より低く、上側の開口部の縁が奥側壁部１３１から手前側壁部１３０に架けて下方に傾斜した形状となっている。
【０２０２】
また、各スロット１２１の底部の所定位置には、スロット側コネクタ１３３と、ステージモータ１３４と、スロット側駆動伝達部１３５とが設けられている。スロット側コネクタ１３３は、各スロット１２１に装填された大収納カセット２９Ｌ又は下側用小収納カセット１２１Ｓｂと電気的に接続するための電気インタフェースである。ステージモータ１３４は、大収納カセット２９Ｌ又は下側用小収納カセット１２１Ｓｂ内のステージ（後述する）を動作させるための駆動力を発生させる。スロット側駆動伝達部１３５は、ステージモータ１３４が発生させた駆動力を、大収納カセット２９Ｌ又は下側用小収納カセット１２１Ｓｂのステージに伝達する。
【０２０３】
これら、スロット側コネクタ１３３、ステージモータ１３４及びスロット側駆動伝達部１３５は、上述した実施の形態のスロット側コネクタ４３、ステージモータ４４及びスロット側駆動伝達部４５と同一のものである。
【０２０４】
さらに、各スロット１２１の手前側壁部１３０には、その上端部に、横長長方形の孔１３６が形成される。そして、この孔１３６に、横長板状の上側レバー１３７が回動自在に枢支されている。
【０２０５】
さらに、各スロット１２１の手前側壁部１３０には、孔１３６の下方に同形状の孔１３８が形成される。この孔１３８に、上側レバー１３７と同形状の中間レバー１３９が回動自在に枢支されている。
【０２０６】
上側レバー１３７は、スロット１２１に上側用小収納カセット１２０Ｓｕのみを装填するときに、中間用小収納カセット１２１Ｓｍの代わりに上側用小収納カセット１２１Ｓｕを支持するものである。
【０２０７】
この上側レバー１３７の上面が、上側用小収納カセット１２０Ｓｕの底部に当接して支持するようになっている。また、上側レバー１３７の上面の位置が、スロット１２１の中間部に装填された中間用小収納カセット１２０Ｓｍの上面の位置とほぼ等しくなるように、手前側壁部１３０に設けられている。
【０２０８】
そして、この上側レバー１３７は、一端側を回転軸として手動で回動できるようになっている。また、上側レバー１３７は手前側壁部１３０と平行な状態（開状態）から、奥側壁部１３１側に突出するように回転して、手前側壁部１３０と直行する状態（閉状態）に遷移できるようになっている。
【０２０９】
尚、この上側レバー１３７は、手前側壁部１３０と平行な開状態のときには、手前側壁部１３０から奥側壁部１３１側に突出しないようになっている。
【０２１０】
そして、実際にスロット１２１に大収納カセット２９Ｌや中間用小収納カセット１２０Ｓｍ、下側用小収納カセット１２１Ｓｂを装填するときには、上側レバー１３７を、手前側壁部１３０と平行な開状態とする。
【０２１１】
これにより、上側レバー１３７が、大収納カセット２９Ｌや中間用小収納カセット１２０Ｓｍ、下側用小収納カセット１２１Ｓｂと物理的に干渉することなく、これらのカセットをスロット１２１に装填できる。
【０２１２】
これに対して、スロット１２１に上側用小収納カセット１２１Ｓｕのみを装填するときには、手前側壁部１３０と直行する閉状態とする。このとき、図１４に示すように、上側レバー１３７の上面が、上側用小収納カセット１２０Ｓｕの底部に当接して支持することで、上側用小収納カセット１２０Ｓｕを、スロット１２１の上部に保持するようになっている。
【０２１３】
一方、中間レバー１３９（図１５）は、スロット１２１に上側用小収納カセット１２０Ｓｕと中間用小収納カセットＳｍを装填するときに、下側用小収納カセット１２１Ｓｂの代わりに中間用小収納カセット１２１Ｓｍを支持するものである。
【０２１４】
この中間レバー１３９の上面が、中間用小収納カセット１２０Ｓｍの底部に当接して支持するようになっている。また、中間レバー１３９の上面の位置が、スロット１２１の下部に装填された下側用小収納カセット１２０Ｓｂの上面の位置とほぼ等しくなるように、手前側壁部１３０に設けられている。
【０２１５】
この中間レバー１３９も、上側レバー１３７と同様、開状態から閉状態に遷移できるようになっている。中間用レバー１３９は、スロット１２１に大収納カセット２９Ｌや下側用小収納カセット１２１Ｓｂを装填するときには、開状態とされ、スロット１２１に上側用小収納カセット１２１Ｓｕと中間用小収納カセット１２１Ｓｍを装填するときには、閉状態とされる。
【０２１６】
そして、閉状態のときには、図１４に示すように、中間レバー１３９の上面が、中間用小収納カセット１２０Ｓｍの底部に当接して支持することで、上側用小収納カセット１２０Ｓｕ及び中間用小収納カセット１２０Ｓｍを、スロット１２１の上部及び中間部に保持するようになっている。
【０２１７】
さらに、各スロット１２１の奥側壁部１３１（図１５）の内壁には、上下方向の中間部に、奥側に凹んだ中間溝１４０が形成される。さらにこの中間溝１４０の上側、すなわち奥側壁部１３１の内壁の上部には、中間溝１４０よりさらに奥側に凹んだ上側溝１４１が形成されている。
【０２１８】
尚、中間溝１４０及び上側溝１４１は、ともに下端面と奥側の面とこれらと接する両側面とで形成された溝となっている。
【０２１９】
このように、奥側壁部１３１の内壁には、中間溝１４０と上側溝１４１とでなる段差状の溝が形成されている。
【０２２０】
また、中間溝１４０の下端面には、中間用小収納カセット１２０Ｓｍと電気的に接続する電気インタフェースのスロット側コネクタ１４０Ｃが設けられている。
【０２２１】
このスロット側コネクタ１４０Ｃは、スロット１２１の中間部に中間用小収納カセット１２０Ｓｍを装填したときに、ちょうど中間用小収納カセット１２０Ｓｍのカセット側コネクタ（後述する）と接続するように、その位置が選定されている。
【０２２２】
また、上側溝１４１の下端面には、上側用小収納カセット１２０Ｓｕと電気的に接続する電気インタフェースのスロット側コネクタ１４１Ｃが設けられている。
【０２２３】
このスロット側コネクタ１４１Ｃは、スロット１２１の上部に上側用小収納カセット１２０Ｓｕを装填したときに、ちょうど上側用小収納カセット１２０Ｓｕのカセット側コネクタ（後述する）と接続するように、その位置が選定されている。
【０２２４】
さらに、これらスロット側コネクタ１４０Ｃ及び１４１Ｃは、奥側壁部１３１の内壁に形成された中間溝１４０及び上側溝１４１内に設けられることで、スロット１２１に大収納カセット２９Ｌ又は下側用小収納カセット１２０Ｓｂを装填したときに、これらと物理的に干渉しないようになっている。
【０２２５】
尚、このスロット１２１についても、中間レバー１３９及び上側レバー１３７、中間溝１４０及び上側溝１４１、スロット側コネクタ１４０Ｃ及び１４１Ｃ以外の部分については、従来のスロット２１０（図５）と同様である。よって、従来のスロット２１０に装填される紙幣収納カセットをそのまま大収納カセット２９Ｌとして装填できるようになっている。
【０２２６】
次に、小収納カセット１２０Ｓの構成について詳しく説明する。まず上側用小収納カセット１２０Ｓｕについて説明する。
【０２２７】
図１６に示すように、この上側用小収納カセット１２０Ｓｕは、上述した実施の形態の上側用小収納カセット２９Ｓｕの縦の長さ（高さ）を短くするとともに、側面部に、中間用小収納カセット２９Ｓｕの突部９７よりも側面部からの突出量を大きくした突部１４２を形成したものである。
【０２２８】
それ以外の部分については図８に示した上側用小収納カセット２９Ｓｕと同様であるので詳しい説明は省略する。
【０２２９】
上側用小収納カセット１２０Ｓｕは、縦の長さが上側用小収納カセット２９Ｓｕの約２／３のサイズ（大収納カセット２９Ｌの約１／３のサイズ）でなり、それに合わせて、紙幣収納庫８９の縦の長さも上側用小収納カセット２９Ｓｕの約２／３となっている。
【０２３０】
またこの上側用小収納カセット１２０Ｓｕの突部１４２は、上側用小収納カセット２９Ｓｕの突部９７の突出量（図中Ｌで示す）の約２倍の突出量（２Ｌ）となっている。
【０２３１】
さらにこの突部１４２の下端面の奥側（突部９７より奥側に突出している部分）に、奥側壁部１３１の上側溝１４１の下端面に設けられたスロット側コネクタ１４１Ｃと接続するカセット側コネクタ１４３が設けられている。
【０２３２】
このカセット側コネクタ１４３は、搬送ローラモータ９３、分離集積ローラモータ９４、ステージモータ９５、スイングセレクタ９６と接続されていて、これらにＡＴＭ１側から供給される電力及び制御信号を送るようになっている。
【０２３３】
すなわち、上側用小収納カセット１２０Ｓｕは、ＡＴＭ１側から供給される電力及び制御信号により搬送ローラモータ９３、分離集積ローラモータ９４、ステージモータ９５、スイングセレクタ９６を駆動させて、搬送ローラ８３及び分離集積ローラ８４〜８８を回転させ、ステージ９０を移動させ、さらに切替器９２を動作させるようになっている。
【０２３４】
上側用小収納カセット１２０Ｓｕは、このような構成でなり、スロット１２１の上部に装填されると、側面部に設けられた突部１４２が、スロット１２１の上側溝１４１に嵌合すると共に、突部１４２に設けられたカセット側コネクタ１４３が、上側溝１４１に設けられたスロット側コネクタ１４１Ｃと接続される。またこのとき上側入出口８１が下部搬送路３１と接続される。
【０２３５】
そして、この上側用小収納カセット１２０Ｓｕも、上述した実施の形態の上側用小収納カセット２９Ｓｕと同様に動作することにより、紙幣の集積及び繰り出しを行う。また、この上側用小収納カセット１２０Ｓｕは、上側用小収納カセット２９Ｓｕと同様、下部搬送路３１と、中間用小収納カセット１２０Ｓｍとの間を繋ぐ搬送路としても機能する。
【０２３６】
次に、中間用小収納カセット１２０Ｓｍについて説明する。図１７に示すように、中間用小収納カセット１２０Ｓｍは、縦の長さが、上述した実施の形態の上側用小収納カセット２９Ｓｕの約２／３のサイズ（大収納カセット２９Ｌの約１／３のサイズ）でなり、それに合わせて、紙幣収納庫８９の縦の長さも上側用小収納カセット２９Ｓｕの約２／３となっている。
【０２３７】
それ以外の部分については図８に示した上側用小収納カセット２９Ｓｕと同様であるので詳しい説明は省略する。
【０２３８】
この中間用小収納カセット１２０Ｓｍは、スロット１２１の中間部に装填されると、側面部に設けられた突部９７（図８参照）が、スロット１２１の中間溝１４０に嵌合すると共に、突部９７に設けられたカセット側コネクタ９８が、中間溝１４０に設けられたスロット側コネクタ１４０Ｃと接続される。
【０２３９】
そして、この中間用小収納カセット１２０Ｓｍも、上述した実施の形態の上側用小収納カセット２９Ｓｕと同様に動作することにより、紙幣の集積及び繰り出しを行う。また、この中間用小収納カセット１２０Ｓｍは、上側用小収納カセット１２０Ｓｕと、下側用小収納カセット１２０Ｓｂとの間を繋ぐ搬送路としても機能する。
【０２４０】
次に、下側用小収納カセット１２０Ｓｂについて説明する。図１７に示すように、下側用小収納カセット１２０Ｓｂは、縦の長さが、上述した実施の形態の下側用小収納カセット２９Ｓｂの約２／３のサイズ（大収納カセット２９Ｌの約１／３のサイズ）でなり、それに合わせて、紙幣収納庫６９の縦の長さも下側用小収納カセット２９Ｓｂの約２／３となっている。
【０２４１】
それ以外の部分については図７に示した下側用小収納カセット２９Ｓｂと同様であるので詳しい説明は省略する。
【０２４２】
この下側用小収納カセット１２０Ｓｂは、スロット１２１の下部に装填されると、底部に設けられたカセット側コネクタ７２が、スロット１２１の底部に設けられたスロット側コネクタ１３３と接続される。また、底部に設けられたカセット側駆動伝達部７４が、スロット１２１の底部に設けられたスロット側駆動伝達部１３５と接続される。
【０２４３】
そして、この下側用小収納カセット１２０Ｓｂも、上述した実施の形態の下側用小収納カセット２９Ｓｂと同様に動作することにより、上側用小収納カセット１２０Ｓｕ及び中間用小収納カセット１２０Ｓｍを介して紙幣の集積及び繰り出しを行う。
【０２４４】
尚、大収納カセット２９Ｌ、上側用小収納カセット１２０Ｓｕ、中間用小収納カセット１２０Ｓｍ、下側用小収納カセット１２０Ｓｂは、それぞれ個別のＩＤ番号が付与されていて、別々の紙幣収納カセットとして制御部１０に認識されるようになっている。
【０２４５】
また、大収納カセット２９Ｌの扉７１、上側用小収納カセット１２０Ｓｕの扉９１、中間用小収納カセット１２０Ｓｍの扉９１、下側用小収納カセット１２０Ｓｂの扉７１は、別々の鍵で施錠するようになっていて、個別にセキュリティーが確保されるようにもなっている。
【０２４６】
ここまで説明したように、縦の長さが大収納カセット２９Ｌの約１／３のサイズの小収納カセット１２０Ｓを用いて、各スロット１２１（１２１ａ〜１２１ｅ）に、小収納カセット１２０Ｓを最大３個装填できるようにすれば、上述した実施の形態と比べて、小収納カセット１個当たりの紙幣集積量は減るものの、対応可能な紙幣の種類を増やすことができ、一段と多様な運用が可能となる。
【０２４７】
［５−４．他の実施の形態４］
さらに、上述した実施の形態では、上側用小収納カセット２９Ｓｕは、側面部に設けられた突部９７が、スロット２８の上部の溝４８に嵌合すると共に、突部９７に設けられたカセット側コネクタ９８が、溝４８に設けられたスロット側コネクタ４９と接続されるようにした。
【０２４８】
これに限らず、スロット２８の溝４８に設けられていたスロット側コネクタ４９を、例えば、下側用小収納カセット２９Ｓｂの天板部に設けるようにし、さらに上側用小収納カセット２９Ｓｕから突部９７を取り除く代わりに、底部にカセット側コネクタ９８を設けるようにする。
【０２４９】
尚、下側用小収納カセット２９Ｓｂの天板部に設けたスロット側コネクタ４９は、下側用小収納カセット２９Ｓｂを介して、スロット２８の底部に設けられたスロット側コネクタ４３と接続されているものとする。
【０２５０】
そして、上側用小収納カセット２９Ｓｕを、下側用小収納カセット２９Ｓｂの上に装填したときに、上側用小収納カセット２９Ｓｕの底部に設けられたカセット側コネクタ９８が、下側用小収納カセット２９Ｓｂの天板部に設けられたスロット側コネクタ４９と接続されるようにする。
【０２５１】
このように上側用小収納カセット２９Ｓｕの接続方法を変えてもよい。この場合、必ず上側用小収納カセット２９Ｓｕの下に下側用小収納カセット２９Ｓｂが装填されている必要があるが、スロット２８に溝４８を設ける必要がなくなる。
【０２５２】
こうすることで、例えば、従来のスロット２１０にも、そのまま上側用小収納カセット２９Ｓｕと下側用小収納カセット２９Ｓｂを装填して利用できるようになる。
【０２５３】
［５−５．他の実施の形態５］
さらに、上述した実施の形態では、紙幣貯蔵部２７を、複数の縦長のスロット２８を前後方向に配置するとともに、紙幣を上下方向に集積する縦長の紙幣収納カセット２９を上から各スロット２８に装填する縦集積タイプの紙幣貯蔵部とした。
【０２５４】
これに限らず、紙幣貯蔵部２７を、複数の横長のスロットを上下方向に配置するとともに、各スロットに、紙幣を前後方向に集積する横長の紙幣収納カセットを横から各スロットに装填する横集積タイプの紙幣貯蔵部としてもよい。
【０２５５】
［５−６．他の実施の形態６］
さらに、上述した実施の形態では、スロット２８に、上側用小収納カセット２９Ｓｕのみを装填するときに、上側用小収納カセット２９Ｓｕをスロット２８の上部に保持する保持部としてレバー４７を用いるようにした。
【０２５６】
これに限らず、上側用小収納カセット２９Ｓｕのみを装填するときに、上側用小収納カセット２９Ｓｕをスロット２８の上部に保持する保持部として機能するものであれば、レバー４７以外の機構を用いるようにしてもよい。
【０２５７】
［５−７．他の実施の形態７］
さらに、上述した実施の形態では、紙幣貯蔵部２７が有するスロット２８の数を５個としたが、これに限らず、５個未満、もしくは６個以上でも構わない。
【０２５８】
またこれに限らず、紙幣貯蔵部２７のスロット構成を、２個の小収納カセット２９Ｓの装填に対応するスロット２８と、１個の紙幣収納カセット２９の装填のみに対応する従来のスロット２１０とを混在した構成としてもよい。
【０２５９】
［５−８．他の実施の形態８］
さらに、上述した実施の形態では、上側用小収納カセット２９Ｓｕの紙幣収納庫８９を、下側用小収納カセット２９Ｓｂの紙幣収納庫６９よりも前後方向に狭いサイズのものとした。
【０２６０】
これに限らず、それぞれのカセット内に収まる範囲であれば、上側用小収納カセット２９Ｓｕの紙幣収納庫８９と、下側用小収納カセット２９Ｓｂの紙幣収納庫６９とを同サイズにしてもよい。
【０２６１】
このようにすれば、上側用小収納カセット２９Ｓｕと下側用小収納カセット２９Ｓｂの容量が同一となり、スロット２８に、同容量のカセットを上下に重ねて装填できるようになる。
【０２６２】
［５−９．他の実施の形態９］
さらに、上述した実施の形態では、本発明を、ＡＴＭ１に設けられた紙幣入出金機４に適用した。しかしながら本発明は、これに限らず、媒体を収納する媒体収納庫を有するカセットを、スロットに着脱自在に装填するものであれば、種々の装置に適用することができる。
【０２６３】
さらに上述した実施の形態では、本発明を、紙幣処理装置としてのＡＴＭ１に適用した。しかしながら本発明は、これに限らず、媒体を収納する媒体収納庫を有するカセットをスロットに着脱自在に装填するものであれば、種々の装置に適用することができる。
【０２６４】
［５−１０．他の実施の形態１０］
さらに、本発明は、上述した実施の形態と、上述した他の実施の形態とに限定されるものではない。すなわち本発明は、上述した実施の形態と上述した他の実施の形態の一部または全部を任意に組み合わせた実施の形態や、一部を抽出した実施の形態にもその適用範囲が及ぶものである。
【産業上の利用可能性】
【０２６５】
本発明は、紙幣を扱うＡＴＭなどの装置で広く利用することができる。
【符号の説明】
【０２６６】
１……ＡＴＭ、４、２００……紙幣入出金機、２７、２０８……紙幣貯蔵部、２８、１２１、２１０……スロット、２９、２０６……紙幣収納カセット、２９Ｌ……大収納カセット、２９Ｓ、１２０Ｓ……小収納カセット、２９Ｓｕ、１００、１２０Ｓｕ……上側用小収納カセット、２９Ｓｂ、１２０Ｓｂ……下側用小収納カセット、４３……スロット側コネクタ、４７……レバー、４８……溝、４９、１３３、１４０Ｃ、１４１Ｃ……スロット側コネクタ、６１……紙幣入出口、６９、８９、１０４……紙幣収納庫、７０、９０、１０５……ステージ、７２、９８、１４３……カセット側コネクタ、８１……上側入出口、８２……下側入出口、９７、１４２……突部、１３７……上側レバー、１３９……中間レバー、１４０……中間溝、１４１……上側溝。
【図１】
0005641122.tif 000002
【図２】
0005641122.tif 000003
【図３】
0005641122.tif 000004
【図４】
0005641122.tif 000005
【図５】
0005641122.tif 000006
【図６】
0005641122.tif 000007
【図７】
0005641122.tif 000008
【図８】
0005641122.tif 000009
【図９】
0005641122.tif 000010
【図１０】
0005641122.tif 000011
【図１１】
0005641122.tif 000012
【図１２】
0005641122.tif 000013
【図１３】
0005641122.tif 000014
【図１４】
0005641122.tif 000015
【図１５】
0005641122.tif 000016
【図１６】
0005641122.tif 000017
【図１７】
0005641122.tif 000018
【図１８】
0005641122.tif 000019
【図１９】
0005641122.tif 000020